(57)【要約】【課題】必要に応じて各部品を取り外すことができると共に、好適に音声を集音することが可能なマイクロホン取り付け装置を提供する。【解決手段】マイクロホンを他の物体に取り付けるマイクロホン取り付け装置１００は、中空内部にマイクロホンが配設され、外面の一部に先端部が球形状で形成された第１嵌合部１１を有する第１部材１０と、当該第１嵌合部１１の表面を挟持して当該第１嵌合部１１を部分的に取り囲んだ状態で当該第１嵌合部１１と嵌合する第２嵌合部２１を有する第２部材２０と、当該第２部材２０をスライド移動して当該第２部材２０を脱着可能とするスライドガイド３１、及び第２部材２０がスライド最深位置に達した際に当該第２部材２０を係止する係止部３２を有し、他の物体を挟持して支持する第３部材３０と、を備える。【選択図】図２
2010095043.tif 000002
【特許請求の範囲】
【請求項１】
マイクロホンを他の物体に取り付けるマイクロホン取り付け装置であって、
中空内部に前記マイクロホンが配設され、外面の一部に先端部が球形状で形成された第１嵌合部を有する第１部材と、
前記第１嵌合部の表面を挟持して前記第１嵌合部を部分的に取り囲んだ状態で前記第１嵌合部と嵌合する第２嵌合部を有する第２部材と、
前記第２部材をスライド移動して前記第２部材を脱着可能とするスライドガイド、及び前記第２部材がスライド最深位置に達した際に前記第２部材を係止する係止部を有し、前記他の物体を挟持して支持する第３部材と、
を備えるマイクロホン取り付け装置。
【請求項２】
前記他の物体が、前記第３部材で挟持可能である場合には、前記第２部材を前記第３部材に装着して、前記他の物体を挟持して取り付けられ、
前記他の物体が、前記第３部材で挟持可能でない場合には、前記第２部材を前記第３部材から分離して、前記第２部材の裏面と前記他の物体とが接合部材により接合されて取り付けられる請求項１に記載のマイクロホン取り付け装置。
【請求項３】
前記接合部材が、前記第２部材の裏面に備えられ、
前記第２部材を前記第３部材に装着した場合に、前記第２部材の裏面と、当該第２部材の裏面に対向する前記第３部材が有する面とが、隙間を有してある請求項２に記載のマイクロホン取り付け装置。
【発明の詳細な説明】
【技術分野】
【０００１】
本発明は、マイクロホンを他の物体に取り付けるマイクロホン取り付け装置に関する。
【背景技術】
【０００２】
近年、安全面から、車両の運転中に携帯電話を持って通話することが禁止されている。そのため、車両の運転中にあっては、受話音声はイヤホンを介して聞き取り、送信音声はマイクロホンを介して伝達することが一般的となっている。また、携帯電話に限らず、例えば、好適に運転を支援するカーナビゲーションシステムの操作では、運転者がスイッチ操作を行うことにより運転操作を妨げることがないように、音声入力による入力形態が広まっている。このような音声入力も上述の携帯電話の送信音声と同様に、マイクロホンを介して行われる。このようなマイクロホンは、携帯電話の送話者やカーナビゲーションシステムの操作者の音声を的確に集音する必要がある。従来、このような音声を集音するマイクロホンを保持する技術が利用されてきた（例えば、特許文献１−３等）。
【０００３】
特許文献１に記載のマイクロホンホルダは、第１嵌合部及び当該第１嵌合部から延出する第１延出部を有する第１部材と第２嵌合部を有する第２部材とを、第１嵌合部と第２嵌合部とを嵌合させて連結する連結構造を備えている。そして、第１部材がマイクロホンを保持するための保持部を有し、第２部材がマイクロホンを他の物体へ装着する際の介助を行う装着介助部を有して構成される。
【０００４】
また、特許文献２に記載の電子機器取付装置は、マイクを保持する取付台と、当該取付台を着脱可能に支持する取付台座と、当該取付台座の下面に突出して設けられた係止部と嵌合させる係止穴を備えたクリップと、から構成される。クリップに取付台座を組み付ける場合には、取付台座の係止部をクリップの係止穴に位置を合わせて挿入し、取付台座を９０度回転させて支持させる。
【０００５】
また、特許文献３に記載のマイクロホンの支持装置は、マイクロホンを保持するマイクロホンホルダーと、クリップとから構成される。マイクロホンホルダーは、一端にマイクロホンを保持するリテーナーが設けられ、他端にクリップが備えるスクリューケージと回転自在に嵌合する球面体が設けられる。
【０００６】
【特許文献１】特許第３８５６７６６号明細書
【特許文献２】特許第３８７１９５８号明細書
【特許文献３】実開平６−５８６８７号公報
【発明の開示】
【発明が解決しようとする課題】
【０００７】
特許文献１に記載のマイクロホンホルダは、第２部材が有する装着介助部が略Ｕ字形状で形成され、当該Ｕ字形状で他の物体を挟持して保持される。ここで、他の物体がＵ字形状で挟持できない形状からなる場合には、装着介助部に接着剤を塗布したり両面テープを貼り付けたりして、装着介助部を他の物体に装着する必要がある。このようにマイクロホンホルダを装着した場合には、他の物体からのマイクロホンホルダの高さが目立ち、コンパクト性に欠けていた。
【０００８】
また、特許文献２に記載の電子機器取付装置は、マイクの方向調整を行うためにマイクを回転させた場合に、係止部と係止穴との回転角度によっては、係止部が係止穴から外れて、マイクが脱落してしまう可能性があった。
【０００９】
更に、特許文献３に記載のマイクロホンの支持装置は、上述の特許文献１と同様、クリップで挟んで取り付け物体に支持される。一方、取り付け物体がクリップで挟むことができない形状である場合には、クリップ表面に接着剤を塗布したり両面テープを貼り付けたりして取り付け物体に取り付ける必要があった。このため、取り付けた場合の高さが高くなってしまうことからコンパクト性に欠けていた。
【００１０】
本発明は、上記の問題に鑑みてなされたものであり、その目的は、必要に応じて各部品を取り外すことができると共に、好適に音声を集音することが可能なマイクロホン取り付け装置を提供することにある。
【課題を解決するための手段】
【００１１】
上記目的を達成するための本発明に係るマイクロホン取り付け装置の特徴構成は、マイクロホンを他の物体に取り付けるために、中空内部に前記マイクロホンが配設され、外面の一部に先端部が球形状で形成された第１嵌合部を有する第１部材と、前記第１嵌合部の表面を挟持して前記第１嵌合部を部分的に取り囲んだ状態で前記第１嵌合部と嵌合する第２嵌合部を有する第２部材と、前記第２部材をスライド移動して前記第２部材を脱着可能とするスライドガイド、及び前記第２部材がスライド最深位置に達した際に前記第２部材を係止する係止部を有し、前記他の物体を挟持して支持する第３部材と、を備える点にある。
【００１２】
このような特徴構成とすれば、第１嵌合部と第２嵌合部とで、第１部材と第２部材とを嵌合させて装着し、係止部材で第２部材を第３部材に係止するため、必要に応じて第１部材と第２部材と第３部材とを分離することができる。また、マイクロホンを有する第１部材と第２部材とが、第１部材の外面の一部に形成された先端部が球形状の第１嵌合部と、当該球形状の表面を挟持して球形状を部分的に取り囲んだ状態で嵌合する第２嵌合部とにより嵌合されるため、マイクロホンの位置調整を自由に行うことができる。したがって、音声が発せられる方向にマイクロホンを向けることができるため、好適に集音することが可能となる。
【００１３】
また、前記他の物体が、前記第３部材で挟持可能である場合には、前記第２部材を前記第３部材に装着して、前記他の物体を挟持して取り付けられ、前記他の物体が、前記第３部材で挟持可能でない場合には、前記第２部材を前記第３部材から分離して、前記第２部材の裏面と前記他の物体とが接合部材により接合されて取り付けられると好適である。
【００１４】
このような構成とすれば、マイクロホン取り付け装置を第１部材、第２部材、第３部材の夫々に分離することができるため、例えば他の物体が、第３部材で挟持可能であれば、第１部材と嵌合された第２部材を第３部材に嵌合させた上で、マイクロホン取り付け装置を他の物体に挟持させることが可能となる。一方、他の物体が、第３部材で挟持可能でない場合には、第１部材と嵌合された第２部材を第３部材から分離した上で、マイクロホン取り付け装置を他の物体に挟持させることが可能となる。したがって、第３部材で他の物体を挟持させないで、マイクロホン取り付け装置を用いる場合には、第３部材を分離してマイクロホンを取り付けるため、コンパクトな状態で取り付けることが可能となる。
【００１５】
また、前記接合部材が、前記第２部材の裏面に備えられ、前記第２部材を前記第３部材に装着した場合に、前記第２部材の裏面と、当該第２部材の裏面に対向する前記第３部材が有する面とが、隙間を有してあると好適である。
【００１６】
このような構成とすれば、第２部材の裏面に接合部材を備えたままで、第２部材と第３部材とを装着させることができる。したがって、他の物体が第３部材で挟持できない場合であっても、改めて接合部材を用意する必要がないため、利用者の手を煩わせることがない。
【発明を実施するための最良の形態】
【００１７】
以下、本発明に係るマイクロホン取り付け装置１００について図面に基づいて説明する。図１は、マイクロホン取り付け装置１００の斜視図である。また、図２は、マイクロホン取り付け装置１００の分解図である。本マイクロホン取り付け装置１００は、マイクロホンを他の物体に取り付ける際に好適に用いられる。特に、本マイクロホン取り付け装置１００は、自動車のバイザーに取り付けたり、或いはダッシュボードに取り付けたりする際に好適に利用される。このため、本実施形態においては、他の物体とは、自動車のバイザーやダッシュボードであるとして説明する。
【００１８】
マイクロホン取り付け装置１００は、図１及び図２に示されるように、第１部材１０、第２部材２０、第３部材３０を備えて構成される。第１部材１０は、中空状で形成され、中空内部にマイクロホンが配設される。ここで、マイクロホンとは集音素子自体を示す。したがって、第１部材１０をマイクロホンが格納される筐体とすることも可能であるし、マイクロホンが格納されたマイクロホン装置を格納する筐体とすることも可能である。
【００１９】
第１部材１０の中空内部にマイクロホンが配設される場合には、当該マイクロホンが音声を集音しやすいように集音面１２が第１部材１０の前面及び第１部材１０の側面に形成される。そして、第１部材１０の前面には正面音孔１２ａが形成され、第１部材１０の側面には側面（背面）音孔１２ｂが形成される。また、第１部材１０の後面には、マイクロホンが集音した音声を他の装置（図示せず）に伝達するコード４０を引き込むコード引き込み口１３が形成される。なお、音声が伝達される他の装置としては、例えば携帯電話やカーナビゲーションシステムや音響機器等とすることが可能である。これらの機器にあっては、携帯電話であれば送話に係る音声信号を伝達し、カーナビゲーションシステムや音響機器であれば、音声によるスイッチ操作信号を伝達することが可能である。
【００２０】
また、第１部材１０は、外面の一部に先端部が球形状で形成された第１嵌合部１１を有する。外面とは、中空状で形成される第１部材１０の外側表面である。特に、図１及び図２に示されるように側面（背面）音孔１２ｂやコード引き込み口１３が形成されていない第１部材１０の側面部の外側表面であれば好適である。そして、第１嵌合部１１は、当該第１嵌合部１１の先端部が球形状で形成される。
【００２１】
第２部材２０は、第１嵌合部１１の表面を挟持して当該第１嵌合部１１を部分的に取り囲んだ状態で当該第１嵌合部１１と嵌合する第２嵌合部２１を有する。本実施形態においては、第２部材は、板状部材２２の一方の面に第２嵌合部２１を備えて構成される。一方の面とは、第１部材１０、第２部材２０、第３部材３０が組み立てられている状態において、第２部材２０を構成する板状部材２２が有する面のうち、第１部材１０の方を向く面である。このような面上に、上述のように球形状で形成される第１嵌合部１１と嵌合する第２嵌合部２１が形成される。
【００２２】
ここで、第１嵌合部１１の表面とは、球形状の表面である。第２嵌合部２１は、その球形状を部分的に取り囲んだ状態で球形状の表面を挟持する。このように構成される第１嵌合部１１及び第２嵌合部２１は、所謂ボールジョイント継ぎ手として形成される。また、本実施形態においては、第２部材２０を構成する板状部材２２は、前記一方の面の鉛直方向及び前記一方の面の裏面となる他方の面の鉛直方向から見た形状が、四角形状で構成されるとして説明する。
【００２３】
ここで、第１部材１０と第２部材２０とは、上述のように所謂ボールジョイント継ぎ手により嵌合されるため、第１部材１０は第２部材２０に対して回動自在に支持される。したがって、集音面１２を集音したい人（即ち音声を発する人）の方向に向けて自由に固定することが可能である。
【００２４】
第３部材３０は、第２部材２０をスライド移動して第２部材２０を脱着可能とするスライドガイド３１、及び第２部材２０がスライド最深位置Ａに達した際に第２部材２０を係止する係止部３２を有し、他の物体を挟持して支持する。上述のように、第２部材は、板状部材２２と、第２嵌合部２１とを備えて構成される。このため、第２部材２０は、板状部材２２を図２における矢印Ｚに沿ってスライド移動して第３部材３０から分離したり、第３部材３０に装着したりすることが可能である。スライドガイド３１は、第３部材３０に形成されるスライド挿入孔３４に第２部材２０をスライド移動することが可能なように、第２部材２０を構成する板状部材２２の幅及び長さよりも少なくとも大きなサイズで形成される。したがって、第２部材２０は第３部材３０から脱着可能となる。
【００２５】
スライド最深位置Ａとは、第２部材２０を第３部材３０のスライド入り口３３側からスライドガイド３１により、スライド挿入孔３４に対して最も奥側にスライド移動させた場合における位置である。係る場合、スライド最深位置Ａは、例えば、スライド挿入孔３４の奥側のスライド挿入孔奥側面３５と、第２部材２０を構成する板状部材２２の奥側の面２３とが、当接する位置とすると好適である。
【００２６】
第３部材３０には、このように第２部材２０をスライド挿入孔３４のスライド最深位置Ａにスライドした場合に、スライド挿入孔３４から抜け出ないように板状部材２２を係止する係止部３２が形成される。係止部３２は、第３部材３０から切り欠いて形成される。この切り欠きは、係止部３２の両側面及び下面と、第３部材３０とが所定の幅となるように形成される。そして、係止部３２は、当該係止部３２の爪３２ａがスライド挿入孔３４の下面よりも突出するように形成される。そして、第２部材２０をスライド移動させる場合には、利用者が係止部３２の爪３２ａを押圧して、当該爪３２ａが第２部材２０のスライド移動を妨げないようにする。このように第２部材２０は第３部材３０に対して、スライド可能なように構成される。
【００２７】
また、第３部材３０は、図１及び図２に示されるように、他の物体を挟持可能に略Ｕ字形状で形成される。略Ｕ字形状とは、第３部材３０の側方断面からの形状が相当する。このような略Ｕ字形状は、弾性変形可能な部材を折り曲げて形成される。このため、略Ｕ字形状を開いて物体を挟み込むことにより、前記開く前の位置に復帰しようとする付勢力が働く。したがって、第３部材３０は、例えば略Ｕ字形状を構成するＵ字の開き幅よりも幅が広いバイザーを挟んで挟持することが可能となる。
【００２８】
また、略Ｕ字形状のうち、バイザー等の他の物体を挟持する部分には、凸構造の滑り止め部３６が形成される。この滑り止め部３６は、互いに対向するように形成される滑り止め部３６ａ及び３６ｂからなる。これらの滑り止め部３６ａ及び３６ｂにより、略Ｕ字形状に働く付勢力を大きくすることができるため、他の物体を挟持させた場合に本マイクロホン取り付け装置１００が他の物体から滑り落ちるのを防止することが可能となる。
【００２９】
また、第３部材３０には、コード止め部３７が形成される。コード止め部３７は、上述の滑り止め部３６ａに形成される。コード止め部３７は溝状で形成され、マイクロホンのコード４０を挟み込むことができるため、マイクロホンが取り付けられていない方に伸びるコード４０が引っ張られた場合であっても、その張力がコード止め部３７で吸収されるため、マイクロホンに張力が伝わらないようにすることができる。したがって、マイクロホンとコード４０との断線等の発生を抑制することができる。また、コード止め部３７は、上述のコード４０を止める機能の他に、コード４０を止めない状態でバイザーを挟持した際には、コード止め部３７を形成する溝が、本マイクロホン取り付け装置１００が他の物体から滑り落ちるのを防止する滑り止め機能として機能する。
【００３０】
このような構成であるマイクロホン取り付け装置１００は、以下のようにしてバイザーやダッシュボードに好適に配設することが可能である。例えば、他の物体が、第３部材３０で挟持可能である場合には、第２部材２０を第３部材３０に装着して、他の物体を挟持して取り付けられ、他の物体が、第３部材３０で挟持可能でない場合には、第２部材２０を第３部材３０から分離して、第２部材２０の裏面と他の物体とが接合部材により接合されて取り付けられる。即ち、マイクロホン取り付け装置１００をバイザーに取り付ける場合には、図３に示されるように、第３部材３０の略Ｕ字形状でバイザーを挟持して取り付けられる。この場合には、第２部材２０が第３部材３０に装着されて用いられる。
【００３１】
一方、マイクロホン取り付け装置１００をダッシュボードに取り付ける場合には、図４に示されるように、第２部材２０が有する面のうち一方の面に対向する他方の面とダッシュボードとが接合部材により接合されて取り付けられる。この場合には、第２部材２０が第３部材３０から分離されて用いられる。第２部材２０の裏面とは、板状部材２２において第２嵌合部２１が形成される面の裏面である。そして、接合部材とは、両面テープ７１であると好適である。したがって、この対向する面が、ダッシュボードと両面テープ７１により固定される。
【００３２】
本発明に係るマイクロホン取り付け装置１００によれば、このようにバイザー等に挟持してマイクロホンを取り付ける場合には、第２部材２０が第３部材３０に装着されて用いられる。一方、ダッシュボード等に置いて取り付ける場合には、第２部材２０を第３部材３０から分離して用いられる。このように第２部材２０と第３部材３０とを分離可能な構成とすることにより、バイザー等に固定する場合には好適に挟持することが可能であるし、ダッシュボード等に置く場合に第３部材３０が不要となるため、マイクロホン取り付け装置１００の高さを低く抑えることができる。したがって、コンパクトにマイクロホンを取り付けることができるため、当該マイクロホン取り付け装置１００が運転者の視界に入りにくくなる。このため、運転者は運転中に気が散ることがないため、運転者に対して運転操作に集中できる運転環境を提供することが可能となる。
【００３３】
〔その他の実施形態〕
上記実施形態では、第３部材３０の滑り止め部３６ａには、マイクロホンに接続されたコード４０を挟むコード止め部３７が形成されるとして説明した。しかしながら、本発明の適用範囲は、これに限定されるものではない。第３部材３０の滑り止め部３６ｂにもコード止め部３７を形成することは当然に可能である。また、滑り止め部３６ａ及び滑り止め部３６ｂのいずれか一方にのみコード止め部３７を形成することも当然に可能である。
【００３４】
また、上述のように、第２部材２０を第３部材３０から分離して用いる場合においても、マイクロホンが取り付けられていない方に伸びるコード４０が引っ張られた際に、その張力がマイクロホンに伝わらないようにするために、図５に示されるように、板状部材２２の一方の面にマイクロホンに接続されるコード４０を挟み込むコード止め部２８が備えられると好適である。ここで、板状部材２２の一方の面とは、板状部材２２に第２嵌合部２１が形成される面である。このように板状部材２２の第２嵌合部２１が形成される面にコード４０を挟み込むコード止め部２８を形成することにより、コード４０が引っ張られた場合であっても当該コード止め部２８で張力が吸収されるため、マイクロホンに張力が伝わらないようにすることができる。したがって、マイクロホンとコード４０との断線等の発生を抑制することができる。
【００３５】
上記実施形態では、マイクロホンをバイザー等に取り付ける場合には、第２部材２０を第３部材３０に装着し、当該第３部材３０の略Ｕ字形状でバイザー等を挟持して用いるとして説明した。このような場合には、予め、第３部材３０のみをバイザーに挟持しておくことにより、集音等の用途に応じて様々なタイプ（機能や形状）のマイクロホンが配設された第１部材１０と嵌合された第２部材２０をスライド装着して用いることが可能である。即ち、使用状況に応じて、図６に示されるようなマイクロホンを複数備えたツインタイプのマイクロホンや図７に示されるような丸型タイプのマイクロホンに付け替えて用いることが可能である。また、第１部材１０のみを付け替えて他の形状のマイクロホンを用いることも当然に可能である。
【００３６】
上記実施形態では、第２部材２０を第３部材３０から分離して用いる場合に、第２部材２０と他の物体とが例えば両面テープ７１で貼り付けることにより固定されるとして説明した。しかしながら、本発明の適用範囲は、これに限定されるものではない。例えば、面ファスナーを用いて固定することも可能である。係る場合には、接合部材としての面ファスナーが、第２部材２０の裏面に備えられる。即ち、面ファスナーの一方７０を、第２部材２０を構成する板状部材２２の裏面に予め貼り付け、また、前記面ファスナーの他方（図示せず）をダッシュボード等の他の物体に予め貼り付けて、必要に応じて面ファスナーを貼り合わせることで、マイクロホン取り付け装置１００を固定することが可能である。
【００３７】
このような場合には、第２部材２０を第３部材３０のスライド挿入孔３４にスライド移動させた場合に、第２部材２０を構成する板状部材２２の裏面に備えられた面ファスナーの一方７０が、第３部材３０により剥ぎ取られる可能性がある。このため、第２部材２０を第３部材３０に装着した場合に、第２部材２０の裏面と、当該第２部材２０の裏面に対向する第３部材３０が有する面とが、隙間を有してあると好適である。即ち、図８に示されるように、第２部材２０を第３部材３０にスライド装着した場合に、第２部材２０を構成する板状部材２２の裏面と、当該裏面に向き合う第３部材３０が有する面との間隔ｌが、板状部材２２の裏面に備えられる面ファスナーの一方７０の厚さｄより広く構成されてあると好適である。
【００３８】
このように構成すると、第２部材２０を構成する板状部材２２の裏面に面ファスナーの一方７０を備えた状態で、第２部材２０を第３部材３０のスライド挿入孔３４にスライド移動させることが可能となる。また、このような構成であれば、第２部材２０を構成する板状部材２２の裏面に予め面ファスナーの一方７０を貼り付けておくことにより、両面テープ７１をダッシュボード等の他の物体に貼っておく必要が無い。したがって、第２部材２０を第３部材３０からスライド移動させて分離した場合に、速やかにダッシュボード等に固定することが可能となる。
【００３９】
上記実施形態では、第１嵌合部１１と第２嵌合部２１とは、所謂ボールジョイント継ぎ手であるとして説明した。このような構成であると、使用に応じて、嵌合の保持力が弱くなり設定された位置や角度で第１部材１０と第２部材２０との位置関係を保持することができなくなってしまう場合がある。このような場合には、第２嵌合部２１の周方向外側から締め付けることが可能な第２嵌合部２１の嵌合力を補強するナットを設けると好適である。このナットを締め付けることにより、嵌合の保持力が強化され、第１部材１０と第２部材２０との位置関係を保持することが可能となる。
【００４０】
上記実施形態では、マイクロホン取り付け装置１００は音声の集音機能を有するマイクロホンを好適に取り付ける装置であるとして説明した。しかしながら、本発明の適用範囲は、これに限定されるものではない。例えば、音声の発音機能を有するスピーカー等の取り付け装置に適用することも当然に可能である。
【図面の簡単な説明】
【００４１】
【図１】マイクロホン取り付け装置の概略構成を示す斜視図
【図２】マイクロホン取り付け装置の各部材を分離した場合の図
【図３】マイクロホン取り付け装置をバイザーに配設する場合の例を示す図
【図４】マイクロホン取り付け装置をダッシュボードに配設する場合の例を示す図
【図５】第２部材にコード止め部を形成した場合の例を示す図
【図６】ツインタイプのマイクロホンを装着した場合の例を示す図
【図７】丸型タイプのマイクロホンを装着した場合の例を示す図
【図８】第２部材を構成する板状部材と第３部材との間に隙間を形成した場合の図
【符号の説明】
【００４２】
１０：第１部材
１１：第１嵌合部
１２：集音面
１２ａ：正面音孔
１２ｂ：側面（背面）音孔
１３：コード引き込み口
２０：第２部材
２１：第２嵌合部
２２：板状部材
２３：板状部材の奥側の面
３０：第３部材
３１：スライドガイド
３２：係止部
３２ａ：爪
３３：スライド入り口
３４：スライド挿入孔
３５：スライド挿入孔奥側面
３６：滑り止め部
３６ａ：滑り止め部
３６ｂ：滑り止め部
３７：コード止め部
４０：コード
１００：マイクロホン取り付け装置
【図１】
2010095043.tif 000003
【図２】
2010095043.tif 000004
【図３】
2010095043.tif 000005
【図４】
2010095043.tif 000006
【図５】
2010095043.tif 000007
【図６】
2010095043.tif 000008
【図７】
2010095043.tif 000009
【図８】
2010095043.tif 000010